(57)【特許請求の範囲】
【請求項１】
入力データを符号化して符号語を出力する符号化手段と、
符号語と多値変調で使用するシンボルとの対応を示すマッピング情報を保持する保持手段と、
前記マッピング情報に従い、前記符号化手段が出力する前記符号語に対応するシンボルを出力する出力手段と、
を備えている送信装置であって、
前記符号化手段が出力する符号語の内の、少なくとも１つの符号語の出現確率は残りの符号語の出現確率とは異なり、
前記マッピング情報において、第１符号語は第１シンボルに対応し、前記第１符号語より出現確率の高い第２符号語は、誤り発生確率が前記第１シンボル以下の第２シンボルに対応し、
前記マッピング情報は、前記送信装置が各シンボルを受信装置に送信して前記受信装置に測定させた各シンボルの誤り発生確率に基づき作成されていることを特徴とする送信装置。
【請求項２】
入力データを符号化して符号語を出力する符号化手段と、
符号語と多値変調で使用するシンボルとの対応を示すマッピング情報を保持する保持手段と、
前記マッピング情報に従い、前記符号化手段が出力する前記符号語に対応するシンボルを出力する出力手段と、
を備えている送信装置であって、
前記符号化手段が出力する符号語の内の、少なくとも１つの符号語の出現確率は残りの符号語の出現確率とは異なり、
前記マッピング情報において、第１符号語は第１シンボルに対応し、前記第１符号語より出現確率の高い第２符号語は、誤り発生確率が前記第１シンボル以下の第２シンボルに対応し、
前記送信装置は、
受信装置に各シンボルを送信して各シンボルの誤り発生確率を測定させ、前記測定した各シンボルの誤り発生確率に基づき前記マッピング情報を作成する作成手段をさらに備えていることを特徴とする送信装置。
【請求項３】
前記符号化手段は、入力データのビット系列と符号語の対応関係を保持しており、
少なくとも１つの符号語に対応するビット系列の長さは、他の符号語に対応するビット系列の長さとは異なることを特徴とする請求項１又は２に記載の送信装置。
【請求項４】
前記符号化手段は、入力データのビット系列を当該ビット系列より長いビット系列の符号化データに変換し、前記符号化データのビット系列を、前記シンボルのビット系列の長さで区切った符号語を出力することを特徴とする請求項１又は２に記載の送信装置。
【請求項５】
前記符号化手段は、８Ｂ１０Ｂ変換により入力データのビット系列を当該ビット系列より長いビット系列の符号化データに変換することを特徴とする請求項４に記載の送信装置。
【請求項６】
前記入力データはスクランブリングされていることを特徴とする請求項１から５のいずれか１項に記載の送信装置。
【請求項７】
入力データを符号化して符号語を生成し、生成された符号語に対応する多値変調のシンボルを含む変調信号を受信する受信装置であって、
符号語と多値変調で使用するシンボルとの対応を示すマッピング情報を保持する保持手段と、
前記マッピング情報に従い受信する変調信号のシンボルに対応する符号語を出力する出力手段と、
前記符号語を復号して出力データを出力する復号手段と、
を備えており、
前記符号化で生成される符号語の内の、少なくとも１つの符号語の出現確率は残りの符号語の出現確率とは異なり、
前記マッピング情報において、第１符号語は第１シンボルに対応し、前記第１符号語より出現確率の高い第２符号語は、誤り発生確率が前記第１シンボル以下の第２シンボルに対応し、
前記マッピング情報は、送信装置が送信した各シンボルを前記受信装置が受信して測定した各シンボルの誤り発生確率に基づき作成されていることを特徴とする受信装置。
【請求項８】
入力データを符号化して符号語を生成し、生成された符号語に対応する多値変調のシンボルを含む変調信号を受信する受信装置であって、
符号語と多値変調で使用するシンボルとの対応を示すマッピング情報を保持する保持手段と、
前記マッピング情報に従い受信する変調信号のシンボルに対応する符号語を出力する出力手段と、
前記符号語を復号して出力データを出力する復号手段と、
を備えており、
前記符号化で生成される符号語の内の、少なくとも１つの符号語の出現確率は残りの符号語の出現確率とは異なり、
前記マッピング情報において、第１符号語は第１シンボルに対応し、前記第１符号語より出現確率の高い第２符号語は、誤り発生確率が前記第１シンボル以下の第２シンボルに対応し、
前記受信装置は、
送信装置から受信する各シンボルに基づき各シンボルの誤り発生確率を測定し、前記測定した各シンボルの誤り発生確率に基づき前記マッピング情報を作成する作成手段をさらに備えていることを特徴とする受信装置。
【請求項９】
前記復号手段は、符号語と出力データのビット系列との対応関係を保持しており、
少なくとも１つの符号語に対応するビット系列の長さは、他の符号語に対応するビット系列の長さとは異なることを特徴とする請求項７又は８に記載の受信装置。
【請求項１０】
前記復号手段は、連続する複数の符号語を当該連続する複数の符号語のビット系列より短いビット系列の出力データに変換することを特徴とする請求項７又は８に記載の受信装置。
【請求項１１】
前記復号手段は、１０Ｂ８Ｂ変換により連続する複数の符号語を当該連続する複数の符号語のビット系列より短いビット系列の出力データに変換することを特徴とする請求項１０に記載の受信装置。
【発明の詳細な説明】
【技術分野】
【０００１】
本開示は、多値変調を使用する通信システムの送信装置及び受信装置に関する。
【背景技術】
【０００２】
例えば、無線通信等においては通信容量の増大のため、６４ＱＡＭ等の多値変調が使用される。ここで、本実施形態において、多値変調とは、１つのシンボルで２ビット以上を搬送する変調方式を意味する。従来の多値変調を使用する送信装置では、入力ビット系列を、１つのシンボルで搬送されるビットを単位として、例えば、１６ＱＡＭでは、４ビット単位に区切り、この区切られたビット系列を対応するシンボルにマッピングして送信を行う。また、受信装置では、受信したシンボルの振幅及び位相に基づきどのシンボルが送信されたかを判定し、判定したシンボルに対応するビット系列に復調を行う。
【０００３】
特許文献１は、１６ＱＡＭを使用する通信システムにおいて誤り率を低減させる構成を開示している。具体的には、１つのシンボルに対応する４ビットのうちの誤り率が高くなるビットを、畳み込み符号において誤り訂正に最も影響の少ないビットに対応させて変調を行う構成を開示している。特許文献２は、ＱＡＭを使用する通信システムにおいて誤り率を低減させる構成を開示している。具体的には、ＱＡＭ信号を復調する際に、各シンボルの誤り率が最小となるよう隣接信号点間の境界をあらかじめ算出し、これを用いて復調を行う構成を開示している。
【先行技術文献】
【特許文献】
【０００４】
【特許文献１】特開２００８−２１１４８９号公報
【特許文献２】特開２００９−１９４７８４号公報
【発明の概要】
【発明が解決しようとする課題】
【０００５】
一般的に、個別の通信システムにおいては、その設置環境や、伝送路及び装置の個体毎の特性の違い等により、多値変調の各シンボルの誤り発生確率は同じではない。特許文献１に記載の構成は、シンボルに対応するビット系列のビット位置による誤り発生確率の差を考慮してはいるが、シンボル毎の誤り発生確率の差、つまり、送信したシンボルとは異なるシンボルであると受信装置が判定する確率を考慮するものではない。また、特許文献１の構成は、畳み込み符号の使用を前提とし、１６ＱＡＭ以上の変調方式にのみ適用可能である。さらに、特許文献２に記載の構成は、各シンボルの誤り率が異なる場合でも、平均的なシンボル誤り率を最小化することができるが、各シンボルの誤り率を最小化する隣接信号点間の境界線を求める必要があり、受信機の構成が複雑になる。
【０００６】
本発明は、誤りの発生を抑える送信装置及び受信装置を提供するものである。
【課題を解決するための手段】
【０００７】
本発明の一側面によると、送信装置は、入力データを符号化して符号語を出力する符号化手段と、符号語と多値変調で使用するシンボルとの対応を示すマッピング情報を保持する保持手段と、前記マッピング情報に従い、前記符号化手段が出力する前記符号語に対応するシンボルを出力する出力手段と、を備えている送信装置であって、前記符号化手段が出力する符号語の内の、少なくとも１つの符号語の出現確率は残りの符号語の出現確率とは異なり、前記マッピング情報において、第１符号語は第１シンボルに対応し、前記第１符号語より出現確率の高い第２符号語は、誤り発生確率が前記第１シンボル以下の第２シンボルに対応し、前記マッピング情報は、前記送信装置が各シンボルを受信装置に送信して前記受信装置に測定させた各シンボルの誤り発生確率に基づき作成されていることを特徴とする。
【０００８】
本発明の一側面によると、入力データを符号化して符号語を生成し、生成された符号語に対応する、多値変調のシンボルを含む変調信号を受信する受信装置は、符号語と多値変調で使用するシンボルとの対応を示すマッピング情報を保持する保持手段と、前記マッピング情報に従い受信する変調信号のシンボルに対応する符号語を出力する出力手段と、前記符号語を復号して出力データを出力する復号手段と、を備えており、前記符号化で生成される符号語の内の、少なくとも１つの符号語の出現確率は残りの符号語の出現確率とは異なり、前記マッピング情報において、第１符号語は第１シンボルに対応し、前記第１符号語より出現確率の高い第２符号語は、誤り発生確率が前記第１シンボル以下の第２シンボルに対応し、前記マッピング情報は、送信装置が送信した各シンボルを前記受信装置が受信して測定した各シンボルの誤り発生確率に基づき作成されていることを特徴とする。
【発明の効果】
【０００９】
誤りの発生を抑えることができる。
【図面の簡単な説明】
【００１０】
【図１】一実施形態による通信システムの構成図。
【図２】一実施形態による変換テーブル及びマッピング・テーブルを示す図。
【図３】一実施形態による符号語とその出現確率を示す図。
【図４】一実施形態による変調シンボルを示す図。
【発明を実施するための形態】
【００１１】
以下、本発明の例示的な実施形態について図面を参照して説明する。なお、以下の各図においては実施形態の説明に必要ではない構成要素については図から省略する。また、以下の実施形態は例示であり本発明を実施形態の内容に限定するものではない。
【００１２】
図１は、本実施形態による通信システムの構成図である。通信システムは、データにより搬送波を多値変調した変調信号を送信する送信装置１と、送信装置１からの変調信号を受信・復調してデータを復号する受信装置２と、を備えている。送信装置１と受信装置２との間の伝送路は有線であっても無線であっても良い。
【００１３】
本実施形態では、多値変調としてＱＰＳＫを使用するものとする。ＱＰＳＫの４つのシンボルの複素平面上での位置を図４に示す。図４に示す様に、シンボルＡは、１＋ｊであり、シンボルＢは、１-ｊであり、シンボルＣは、−１＋ｊであり、シンボルＤは、−１−ｊである。つまり、４つのシンボルの振幅は同じであり、シンボル間の最小距離は、２である。
【００１４】
例えば、送信装置１、伝送路及び受信装置２全体の特性が複素平面上の位置によらず、各シンボルに与えられる影響がシンボルに依存しない場合、各シンボルの誤り発生確率は略同じである。しかしながら、送信装置１及び受信装置２の特性や、伝送路の特性等により各シンボルの誤り発生確率は、通常、同じではない。本実施形態において、誤り発生確率は、シンボルＡが最も高く、その後、シンボルＢ、Ｃ、Ｄの順で低くなっていくものとする。なお、シンボルの誤り発生確率は、例えば、通信システムの構築時に測定する。
【００１５】
図１に戻り、符号化部１１は、受信装置２に送信すべきデータを受信し、保持部１３が保持する変換テーブルに基づき受信したデータを符号化し、符号語の系列である符号化データを出力する。図２（Ａ）は、変換テーブルの例を示している。図２（Ａ）の変換テーブルによると、データ"０"は、符号語"００"に、データ"１０"は、符号語"０１"に、データ"１１０"は、符号語"１１"に、データ"１１１"は、符号語"１０"に変換される。なお、通常、データは、変調前にスクランブリングされ、そのビット系列はランダム系列に近くなっている。つまり、符号化部１１に入力されるデータは、スクランブリング後のデータであり、略ランダム系列であるものとする。したがって、各符号語の出現確率は図２（Ａ）の様になる。つまり、符号語"００"の出現確率が最も高く、次に、符号語"０１"の出現確率が高く、符号語"１１"及び"１０"の出現確率は同じで最も低くなる。
【００１６】
また、保持部１３は、事前に測定したシンボルの誤り発生確率に基づき作成されたマッピング・テーブルを保持している。図２（Ｂ）は、本実施形態によるマッピング・テーブルを示す。図２（Ｂ）に示す様に、最も出現確率の高い符号語"００"を、最も誤り発生確率の低いシンボルＤにマッピングする。また、２番目に出現確率の高い符号語"０１"を、２番目に誤り率の低いシンボルＣにマッピングする。そして、３番目に出現確率の低い符号語"１１"及び"１０"を、３番目に誤り率の低いシンボルＢ及び４番目に誤り率の低いシンボルＡにマッピングする。なお、符号語"１１"及び"１０"の出現確率は同じであるため、出現確率"１１"及び"１０"とシンボルＡ及びＢのマッピングは、本実施形態とは反転していても良い。
【００１７】
変調部１２は、図２（Ｂ）のマッピング・テーブルにより、符号語に対応するシンボルを順次出力し、これにより、符号化データにより搬送波を変調した変調信号を受信装置２に送信する。図２（Ａ）及び（Ｂ）から明らかな様に、変調信号においては、誤り発生確率の低いシンボル程、出現確率が高くなる。したがって、全体として、誤り発生確率を抑えることができる。
【００１８】
受信装置２の保持部２３も、図２（Ａ）の変換テーブルと、図２（Ｂ）のマッピング・テーブルを保持している。復調部２２は、受信したシンボルが、シンボルＡ、Ｂ、Ｃ、Ｄのいずれであるかを判定し、判定したシンボルと、図２（Ｂ）のマッピング・テーブルに基づき符号語を含む符号化データを出力する。復号部２１は、図２（Ａ）の変換テーブルに基づき符号化データの各符号語をデータに復号して出力する。
【００１９】
続いて、本実施形態の変形例について説明する。本変形例において符号化部１１は、８Ｂ１０Ｂ変換を行う。つまり、入力されるデータを８ビット単位で区切り、８Ｂ１０Ｂ変換テーブルに基づき１０ビットの符号化データを出力する。なお、８Ｂ１０Ｂ符号化は、イーサネット（登録商標）等で使用される周知の符号化であり、その詳細な説明は省略する。また、本変形例では、ＱＰＳＫを使用し、よって、１つのシンボルは２ビットであるため、符号化部１１が出力する１０ビットの符号化データを２ビット単位に区切り、各２ビットを１つの符号語とする。つまり、本変形例における符号化部１１は、８Ｂ１０Ｂ符号化により、入力される８ビットのデータから、５つの符号語を出力する。変調部１２は、マッピング・テーブルに従い、符号化部１１から出力される符号語をシンボルにマッピングする。８Ｂ１０Ｂ変換により出力される各符号語の出現確率を図３に示す。図２（Ａ）の変換テーブルと同様に、符号語の出現確率は同じではない。したがって、本変形例では、最も出現確率の高い符号語"１０"をシンボルＤに、次に出現確率の高い符号語"０１"をシンボルＣに割り当てる。なお、符号語"００"及び"１１"の出現確率は同じであるため、何れかをシンボルＢに、残りをシンボルＡに割り当てる。本変形例において、受信装置２の復号部は復調部２２が出力する５つの符号語を単位として１０Ｂ８Ｂ変換を行い、データを復号する。
【００２０】
なお、上記実施形態では、シンボルの誤り発生確率を設置時に測定し、測定結果に基づきマッピング・テーブルを作成するものとした。しかしながら、例えば、送信装置１が既知シンボルを受信装置２に送信し、受信装置２においてシンボルの誤り発生確率を測定し、所定のタイミングにてマッピング・テーブルを更新する構成とすることもできる。この場合、送信装置１と受信装置２は、図示しない制御回線を使用して同じマッピング・テーブルを生成し、同期を取って使用するマッピング・テーブルを更新する。
【００２１】
なお、本実施形態の変換テーブルは図２（Ａ）に示すものに限定されない。例えば、各符号語に対応するデータのビット系列の長さが同じではなく、少なくとも１つのビット系列の長さが他のビット系列と異なる様にすれば、各符号語の出現確率は同じではなくなる。つまり、異なる長さのビット系列を、多値変調で使用するシンボルに対応する同じ長さのビット系列に対応する符号語に変換するものであれば良い。
【００２２】
さらに、本変形例では８Ｂ１０Ｂ変換を行ったが、８Ｂ１０Ｂ変換に限定されない。例えば、入力されるデータを所定長のビット系列に区切り、このビット系列を、より長いビット系列に変換して符号化データとし、この符号化データを、多値変調で使用するシンボルに対応するビットの長さで区切って符号語とする構成であれば良い。これは、ビット系列を、より長いビット系列に変換することで、符号語の出現確率に偏りが生じるからである。
【００２３】
また、上記実施形態ではＱＰＳＫ変調を使用するものとし、よって、符号語を２ビットとしたが、本発明は、任意の多値変調に使用することができる。つまり、符号化部１１による符号化後の各符号語の出現確率が同じでなく、少なくとも１つの符号語の出現確率が他の符号語の出現確率とは異なるものとすれば良い。そして、全体として、符号語を、その出現確率が低くなる程、誤り発生確率の高いシンボルにマッピングすれば良い。言い換えると、第１符号語を第１シンボルにマッピングする場合、第１符号語より出現確率の高い第２符号語については、第１シンボルと同じか、第１シンボルより誤り発生確率の低い第２シンボルにマッピングすれば良い。本実施形態の構成は、さらに、特定の誤り訂正符号の使用に限定されない。
【図１】
0006537321.tif 000002
【図２】
0006537321.tif 000003
【図３】
0006537321.tif 000004
【図４】
0006537321.tif 000005